(57)【要約】【課題】送信側装置の負荷の増大を抑えながら、かつ、ＩＣカードが保持しなければならないデータサイズを増やすことなく複数のＥＭＭを同時に送出しても、それらのＥＭＭの一部または全部をＩＣカードに取り込ませることが可能な装置を提供する。【解決手段】送出先毎の情報である個別情報を送出する局設備１１であって、同一の送出先に対して同時期に送出される複数の個別情報に、送出先の識別子と、各個別情報に固有の番号であり、新しい個別情報ほど大きい番号である更新番号と、その更新番号よりも小さい更新番号を記述したリストである更新番号リストとを含めて生成するＥＭＭ作成部１１１と、ＥＭＭ作成部１１１が生成した個別情報を送出するＥＭＭ送出部１１４とを備える。【選択図】図１
2007129693.tif 000002
【特許請求の範囲】
【請求項１】
送出先毎の情報である個別情報を送出する放送装置であって、
同一の送出先に対して同時期に送出される複数の個別情報に、前記送出先の識別子と、前記各個別情報に固有の番号であり、新しい個別情報ほど大きい番号である更新番号と、当該更新番号よりも小さい更新番号を記述したリストである更新番号リストとを含めて生成する個別情報生成手段と、
前記個別情報生成手段が生成した個別情報を送出する個別情報送出手段とを備える
ことを特徴とする放送装置。
【請求項２】
前記個別情報生成手段は、同一の送出先に対して同時期に送出される複数の個別情報に、更新番号リストを含めるか否かを判定し、前記更新番号リストを含めると判定した場合に、前記送出先の識別子と、前記更新番号と、前記更新番号リストとを含む個別情報を生成し、前記更新番号リストを含めないと判定した場合に、前記更新番号リストを含まない個別情報を生成する
ことを特徴とする請求項１に記載の放送装置。
【請求項３】
前記個別情報生成手段は、さらに、各個別情報を送出する期限を示す送出期限を含む個別情報を生成する
ことを特徴とする請求項１または請求項２に記載の放送装置。
【請求項４】
前記個別情報生成手段は、同一の送出先に対して同時期に送出される複数の個別情報に含める前記送出期限を同一の期限とする
ことを特徴とする請求項３に記載の放送装置。
【請求項５】
前記個別情報は、デジタル放送で利用しているＥＭＭである
ことを特徴とする請求項１から請求項４までのいずれか１項に記載の放送装置。
【請求項６】
送出先毎の情報である個別情報群のうち、特定の送出先の識別子を含む個別情報群を受信する放送受信装置であって、
前記特定の送出先の識別子を含む各個別情報に固有の番号であり、新しい個別情報ほど大きい番号である更新番号を含む個別情報を取り込んで管理する個別情報管理手段と、
前記個別情報管理手段が取り込んだ個別情報の中で、最大の更新番号を保持している更新番号保持手段と、
個別情報を取得した場合に、当該取得した個別情報の更新番号と、前記更新番号保持手段が保持している更新番号とを比較し、前記取得した個別情報の更新番号が前記更新番号保持手段が保持している更新番号より大きいか否かを判定する第１判定手段と、
前記第１判定手段が大きいと判定した場合に、前記取得した個別情報に、更新番号を含む更新番号リストが含まれるか否かを判定する第２判定手段と、
前記第２判定手段が前記更新番号リストが含まれると判定した場合に、前記更新番号リストに含まれる更新番号と、前記更新番号保持手段が保持している更新番号とを比較し、前記更新番号リストに含まれる更新番号に前記更新番号保持手段が保持している更新番号より大きい更新番号が含まれない場合にのみ、前記取得した個別情報を前記個別情報管理手段に取り込んで管理させるとともに、前記取得した個別情報の更新番号を前記更新番号保持手段に保持させる取得処理手段とを備える
ことを特徴とする放送受信装置。
【請求項７】
前記第２判定手段は、さらに、前記第１判定手段が大きくないと判定した場合に、前記取得した個別情報を破棄する
ことを特徴とする請求項６に記載の放送受信装置。
【請求項８】
前記取得処理手段は、さらに、前記第２判定手段が前記更新番号リストが含まれないと判定した場合に、前記取得した個別情報を前記個別情報管理手段に取り込んで管理させるとともに、前記更新番号保持手段に前記取得した個別情報の更新番号を保持させる
ことを特徴とする請求項６または請求項７に記載の放送受信装置。
【請求項９】
前記取得処理手段は、さらに、前記第２判定手段が前記更新番号リストが含まれると判定した場合に、前記更新番号リストに含まれる更新番号と、前記更新番号保持手段が保持している更新番号とを比較し、前記更新番号リストに含まれる更新番号に前記更新番号保持手段が保持している更新番号より大きい更新番号が含まれる場合に、前記取得した個別情報を破棄する
ことを特徴とする請求項６から請求項８までのいずれか１項に記載の放送受信装置。
【請求項１０】
さらに、個別情報を一時的に保持している退避手段を備え、
前記取得処理手段は、さらに、前記第２判定手段が前記更新番号リストが含まれると判定した場合に、前記更新番号リストに含まれる更新番号と、前記更新番号保持手段が保持している更新番号とを比較し、前記更新番号リストに含まれる更新番号に前記更新番号保持手段が保持している更新番号より大きい更新番号が含まれる場合に、前記取得した個別情報を前記退避手段に保持させる
ことを特徴とする請求項６から請求項８までのいずれか１項に記載の放送受信装置。
【請求項１１】
さらに、前記取得処理手段が前記取得した個別情報を前記個別情報管理手段に取り込んで管理させるとともに、前記更新番号保持手段に前記取得した個別情報の更新番号を保持させた場合に、前記退避手段が保持している個別情報があるか否かを判定する退避情報判定手段を備え、
前記第１判定手段は、さらに、前記退避情報判定手段が保持している個別情報があると判定した場合に、前記退避手段が記憶している個別情報を取得し、当該取得した個別情報の更新番号と、前記更新番号保持手段が保持している更新番号とを比較し、前記取得した個別情報の更新番号が前記更新番号保持手段が保持している更新番号より大きいか否かを判定する
ことを特徴とする請求項１０に記載の放送受信装置。
【請求項１２】
前記第２判定手段は、前記第１判定手段が大きいと判定した場合に、前記取得した個別情報に、更新番号と送出期限とが対応付けられた更新番号リストが含まれるか否かを判定し、
前記取得処理手段は、前記第２判定手段が前記更新番号リストが含まれると判定した場合に、前記更新番号リストから、期限が未到来である前記送出期限に対応付けられた更新番号を抽出し、前記抽出した更新番号と、前記更新番号保持手段が保持している更新番号とを比較し、前記抽出した更新番号に前記更新番号保持手段が保持している更新番号より大きい更新番号が含まれない場合に、前記取得した個別情報を前記個別情報管理手段に取り込んで管理させるともに、前記取得した個別情報の更新番号を前記更新番号保持手段に保持させる
ことを特徴とする請求項６から請求項８までのいずれか１項に記載の放送受信装置。
【請求項１３】
前記取得処理手段は、さらに、前記第２判定手段が前記更新番号リストが含まれると判定した場合に、前記更新番号リストから、期限が未到来である前記送出期限に対応付けられた更新番号を抽出し、前記抽出した更新番号と、前記更新番号保持手段が保持している更新番号とを比較し、前記抽出した更新番号に前記更新番号保持手段が保持している更新番号より大きい更新番号が含まれる場合に、前記取得した個別情報を破棄する
ことを特徴とする請求項１２に記載の放送受信装置。
【請求項１４】
さらに、個別情報を一時的に保持している退避手段を備え、
前記取得処理手段は、さらに、前記第２判定手段が前記更新番号リストが含まれると判定した場合に、前記更新番号リストから、期限が未到来である前記送出期限に対応付けられた更新番号を抽出し、前記抽出した更新番号と、前記更新番号保持手段が保持している更新番号とを比較し、前記抽出した更新番号に前記更新番号保持手段が保持している更新番号より大きい更新番号が含まれる場合に、前記取得した個別情報を前記退避手段に保持させる
ことを特徴とする請求項１２に記載の放送受信装置。
【請求項１５】
さらに、前記取得処理手段が前記取得した個別情報を前記個別情報管理手段に取り込んで管理させるとともに、前記更新番号保持手段に前記取得した個別情報の更新番号を保持させた場合に、前記退避手段が保持している個別情報があるか否かを判定する退避情報判定手段を備え、
前記第１判定手段は、さらに、前記退避情報判定手段が保持している個別情報があると判定した場合に、前記退避手段が保持している個別情報を取得し、当該取得した個別情報の更新番号と、前記更新番号保持手段が保持している更新番号とを比較し、前記取得した個別情報の更新番号が前記更新番号保持手段が保持している更新番号より大きいか否かを判定する
ことを特徴とする請求項１４に記載の放送受信装置。
【請求項１６】
前記個別情報は、デジタル放送で利用しているＥＭＭである
ことを特徴とする請求項６から請求項１５までのいずれか１項に記載の放送受信装置。
【請求項１７】
送出先毎の情報である個別情報を送出する放送方法であって、
同一の送出先に対して同時期に送出される複数の個別情報に、前記送出先の識別子と、前記各個別情報に固有の番号であり、新しい個別情報ほど大きい番号である更新番号と、当該更新番号よりも小さい更新番号を記述したリストである更新番号リストとを含めて生成する個別情報生成ステップと、
前記個別情報生成ステップにおいて生成した個別情報を送出する個別情報送出ステップとを含む
ことを特徴とする放送方法。
【請求項１８】
送出先毎の情報である個別情報群のうち、特定の送出先の識別子を含む個別情報群を受信する放送受信方法であって、
前記特定の送出先の識別子を含む各個別情報に固有の番号であり、新しい個別情報ほど大きい番号である更新番号を含む個別情報を取り込んで管理する個別情報管理手段に保持されている個別情報の中で、最大の更新番号を保持している更新番号保持手段から、前記更新番号保持手段が保持している前記最大の更新番号を取得する保持更新番号取得ステップと、
個別情報を取得した場合に、当該取得した個別情報の更新番号と、前記保持更新番号取得ステップにおいて取得された前記最大の更新番号とを比較し、前記取得した個別情報の更新番号が前記保持更新番号取得ステップにおいて取得された前記最大の更新番号より大きいか否かを判定する第１判定ステップと、
前記第１判定手段が大きいと判定した場合に、前記取得した個別情報に、更新番号を含む更新番号リストが含まれるか否かを判定する第２判定ステップと、
前記第２判定手段が前記更新番号リストが含まれると判定した場合に、前記更新番号リストに含まれる更新番号と、前記保持更新番号取得ステップにおいて取得された前記最大の更新番号とを比較し、前記更新番号リストに含まれる更新番号に前記保持更新番号取得ステップにおいて取得された前記最大の更新番号より大きい更新番号が含まれない場合にのみ、前記取得した個別情報を前記個別情報管理手段に取り込んで管理させるとともに、前記取得した個別情報の更新番号を前記更新番号保持手段に保持させる取得処理ステップとを含む
ことを特徴とする放送受信方法。
【請求項１９】
送出先毎の情報である個別情報を送出する放送プログラムであって、
同一の送出先に対して同時期に送出される複数の個別情報に、前記送出先の識別子と、前記各個別情報に固有の番号であり、新しい個別情報ほど大きい番号である更新番号と、当該更新番号よりも小さい更新番号を記述したリストである更新番号リストとを含めて生成する個別情報生成ステップと、
前記個別情報生成ステップにおいて生成した個別情報を送出する個別情報送出ステップとをコンピュータに実行させる
ことを特徴とする放送プログラム。
【請求項２０】
送出先毎の情報である個別情報群のうち、特定の送出先の識別子を含む個別情報群を受信する放送受信プログラムであって、
前記特定の送出先の識別子を含む各個別情報に固有の番号であり、新しい個別情報ほど大きい番号である更新番号を含む個別情報を取り込んで管理する個別情報管理手段に保持されている個別情報の中で、最大の更新番号を保持している更新番号保持手段から、前記更新番号保持手段が保持している前記最大の更新番号を取得する保持更新番号取得ステップと、
個別情報を取得した場合に、当該取得した個別情報の更新番号と、前記保持更新番号取得ステップにおいて取得された前記最大の更新番号とを比較し、前記取得した個別情報の更新番号が前記保持更新番号取得ステップにおいて取得された前記最大の更新番号より大きいか否かを判定する第１判定ステップと、
前記第１判定手段が大きいと判定した場合に、前記取得した個別情報に、更新番号を含む更新番号リストが含まれるか否かを判定する第２判定ステップと、
前記第２判定手段が前記更新番号リストが含まれると判定した場合に、前記更新番号リストに含まれる更新番号と、前記保持更新番号取得ステップにおいて取得された前記最大の更新番号とを比較し、前記更新番号リストに含まれる更新番号に前記保持更新番号取得ステップにおいて取得された前記最大の更新番号より大きい更新番号が含まれない場合にのみ、前記取得した個別情報を前記個別情報管理手段に取り込んで管理させるとともに、前記取得した個別情報の更新番号を前記更新番号保持手段に保持させる取得処理ステップとをコンピュータに実行させる
ことを特徴とする放送受信プログラム。
【請求項２１】
送出先毎の情報である個別情報群のうち、特定の送出先の識別子を含む個別情報群を受信する集積回路であって、
前記特定の送出先の識別子を含む各個別情報に固有の番号であり、新しい個別情報ほど大きい番号である更新番号を含む個別情報を取り込んで管理する個別情報記憶部を制御する個別情報記憶制御手段と、
前記個別情報記憶部に保持されている個別情報の中で、最大の更新番号を保持している更新番号記憶部を制御する更新番号記憶制御手段と、
個別情報を取得した場合に、当該取得した個別情報の更新番号と、前記更新番号記憶制御手段により取得される前記更新番号記憶部が保持している更新番号とを比較し、前記取得した個別情報の更新番号が前記更新番号記憶部が保持している更新番号より大きいか否かを判定する第１判定手段と、
前記第１判定手段が大きいと判定した場合に、前記取得した個別情報に、更新番号を含む更新番号リストが含まれるか否かを判定する第２判定手段と、
前記第２判定手段が前記更新番号リストが含まれると判定した場合に、前記更新番号リストに含まれる更新番号と、前記更新番号記憶制御手段により取得される前記更新番号記憶部が保持している更新番号とを比較し、前記更新番号リストに含まれる更新番号に前記更新番号記憶部が保持している更新番号より大きい更新番号が含まれない場合にのみ、前記取得した個別情報を前記個別情報記憶部に前記個別情報記憶制御手段を介して管理させるとともに、前記取得した個別情報の更新番号を前記更新番号記憶部に前記更新番号記憶制御手段を介して保持させる取得処理手段とを備える
ことを特徴とする集積回路。
【発明の詳細な説明】
【技術分野】
【０００１】
本発明は、デジタル放送を放送する放送装置、および、その放送を受信する放送受信装置に関し、特に、個別情報（ＥＭＭ：Ｅｎｔｉｔｌｅｍｅｎｔ  Ｍａｎａｇｅｍｅｎｔ  Ｍｅｓｓａｇｅ）を含む情報を放送する放送装置およびその放送を受信する装置に関する。
【背景技術】
【０００２】
デジタル放送では、番組の映像音声データに共通情報（ＥＣＭ：Ｅｎｔｉｔｌｅｍｅｎｔ  Ｃｏｎｔｒｏｌ  Ｍｅｓｓａｇｅ、ＡＣＩ：Ａｃｃｏｕｎｔ  Ｃｏｎｔｒｏｌ  Ｉｎｆｏｒｍａｔｉｏｎ）や個別情報（ＥＭＭ）などが多重化されて放送される。
【０００３】
ＥＭＭには、暗号化されたＥＣＭやＡＣＩを復号するためのワーク鍵や各受信装置の契約情報、蓄積された番組の利用条件を含むライセンスなどがＩＣカードの固有鍵で暗号化されて格納される。また、その暗号化データの前には非暗号のヘッダ情報があって、そのヘッダ情報では送出先のＩＣカードを特定するカードＩＤや更新番号などが格納されている。
【０００４】
放送局の送出装置では、受信装置に対してＥＭＭを送出する場合、受信装置におけるＥＭＭの受信確率を高めるため、同一内容のＥＭＭを所定時間ごとに繰り返して送出する。また、ＥＭＭに含まれる内容を更新する場合には、ＥＭＭの更新番号を１つ増加させて送出するのが一般的である。すなわち、更新番号は、特定のカードＩＤを含むＥＭＭに含まれる内容の新しさを示し、ＥＭＭに含まれる更新番号が大きい程、そのＥＭＭに含まれる内容が新しいものであることを示す。
【０００５】
一方、ユーザの受信装置は、自身に装着されているＩＣカードのカードＩＤが付与されたＥＭＭを受信すると、そのＥＭＭをＩＣカードに送信する。ＩＣカードは、受信装置からＥＭＭを受信すると、そのＥＭＭに含まれる更新番号と前回ＩＣカード内に取り込んだＥＭＭの更新番号との比較処理を行う。そして、比較処理の結果、今回受信したＥＭＭの更新番号が前回取り込んだＥＭＭの更新番号よりも大きかった場合は、そのＥＭＭをＩＣカード内に取り込むが、小さかった場合や同じだった場合は、そのＥＭＭを破棄する。また、ＥＭＭを取り込んだ際には、ＩＣカードが保持する更新番号も今回取り込んだＥＭＭの更新番号に更新する。ＥＭＭを取得する際に、こうした判定処理を行うことによって、ＩＣカードが同一の更新番号が付与されたＥＭＭを何回も取り込んでしまうことを防止している。
【０００６】
一般に、異なる内容のＥＭＭが同時期に送出されることがある。同時期に送出されているＥＭＭのうち、その更新番号が最大であるＥＭＭをＩＣカードが最初に受信した場合、ＩＣカードが保持する更新番号も最大の更新番号に更新される。そのため、上述の判定処理によると、同時期に送出されている他のＥＭＭを受信したＩＣカードは、そのＥＭＭを破棄する。その結果、ＩＣカードが取り込んでいない更新番号のＥＭＭが発生する。
【０００７】
ＥＭＭの内容が、自身より小さい更新番号のＥＭＭの内容との差分であるように、小さい更新番号のＥＭＭの内容に依存する場合や、単独で重要性の高い内容を含む場合には、そのＥＭＭをＩＣカードに取り込ませる必要がある。このようなＥＭＭをＩＣカードに取り込むことができないことは問題である。
【０００８】
そこで、従来、ＥＭＭを同時期に送出する必要がある場合には、ＩＣカードに取り込ませる必要があるＥＭＭの内容を、同時期に送出している更新番号が最大のＥＭＭの内容に統合する技術がある。この技術では、ＥＭＭの送出側で、同時期に送出するＥＭＭの中から、ＩＣカードに取り込ませる必要があるＥＭＭを抽出し、さらに、更新番号が最大のＥＭＭに本来含まれる内容に、抽出したＥＭＭの内容を付加したＥＭＭを再構成する。
【０００９】
また、特許文献１には、１つのＥＭＭのデータサイズが所定のサイズよりも大きくなる際に、更新番号を番号部とフラグ部に分けることによって、同一の更新番号が付与されたＥＭＭを、異なるフラグが付与された複数のＥＭＭに分割して送出するシステムの一例が記述されている。この技術によると、更新番号は同一であるが、異なる内容を含むＥＭＭを送出することができる。したがって、取り込むことができないＥＭＭが発生するという問題には、例えば、同時期に送出している複数のＥＭＭの番号部に同一の番号を付与し、それらのフラグ部に異なるフラグを付与することにより対処できる。
【特許文献１】特開２００１−２０３６５３号公報
【発明の開示】
【発明が解決しようとする課題】
【００１０】
しかしながら、ＥＭＭを再構成する技術では、ＥＭＭの送出側の装置が再構成するため、処理が煩雑になり、送出側の装置の負荷が大きくなるという問題がある。
【００１１】
また、特許文献１に記載の技術では、更新番号を番号部とフラグ部に分けることによって複数のＥＭＭを同時に送出することを可能としているが、もとの更新番号のデータサイズの一部が番号部に割り当てられる場合、もとの更新番号に相当する番号部に割り当てられるデータサイズが小さくなる。そのため、この場合、番号部のデータサイズ分だけ設定できる更新番号が少なくなってしまう。そこで、この問題を解決するために番号部のデータサイズをもともとの更新番号のデータサイズと同じにすると、ＩＣカードはフラグ部のデータサイズ分だけ管理しなければならないデータサイズが増えてしまう。一般的に、ＩＣカードが備えるメモリ容量は小さいため、同時に送出するＥＭＭの個数が増えてフラグ部のデータサイズが大きくなったり、ＥＭＭの送出を行う事業者が増えてＩＣカード内で保持しなければならない更新番号の個数が増えたりすると、フラグ部分のデータサイズの増加は無視できない課題となる。
【００１２】
本発明では、上記問題点に鑑み、送出側装置の負荷の増大を抑えながら、かつ、ＩＣカードが保持しなければならないデータサイズを増やすことなく複数のＥＭＭを同時に送出しても、それらのＥＭＭの一部または全部をＩＣカードに取り込ませることが可能な装置を提供することを目的とする。
【課題を解決するための手段】
【００１３】
上記目的を達成するために、本発明における放送装置は、送出先毎の情報である個別情報を送出する放送装置であって、同一の送出先に対して同時期に送出される複数の個別情報に、前記送出先の識別子と、前記各個別情報に固有の番号であり、新しい個別情報ほど大きい番号である更新番号と、当該更新番号よりも小さい更新番号を記述したリストである更新番号リストとを含めて生成する個別情報生成手段と、前記個別情報生成手段が生成した個別情報を送出する個別情報送出手段とを備える。
【００１４】
このように、放送装置は、個別情報自身に含まれる更新番号よりも小さい更新番号を記述したリストである更新番号リストを含む個別情報を生成し、送出する。更新番号リストに、同時期に送出される個別情報のうち、重要性が高い個別情報や依存関係がある個別情報の更新番号を含めることにより、これらの個別情報を受信装置に確実に取り込ませることができる。したがって、同時期に送出される個別情報の個数が増えたとしても、受信装置が保持しなければならない情報は更新番号のみでよく、記憶領域を無駄に消費することなく複数の個別情報を同時期に送出することが可能になる。さらに、同時期に送出した複数の個別情報のうち、受信装置に取り込ませることが必要な個別情報を確実に受信装置に取り込ませることが可能になる。
【００１５】
さらに、好ましくは、前記個別情報生成手段は、さらに、各個別情報を送出する期限を示す送出期限を含む個別情報を生成する。
【００１６】
このように、放送装置は、各個別情報を送出する期限を示す送出期限を含む個別情報を生成する。更新番号リストに送出期限が過ぎた個別情報を受信装置が未だに取り込んでいない場合には、受信装置は、その個別情報を取り込むことを断念することを判断できる。そのため、更新番号リストに含まれ、未だに取り込んではいないものの、送出期限が過ぎたために取り込むことが不可能となった個別情報を取り込もうとせずに済み、受信装置が新たな個別情報を取り込めなくなることを防ぐことが可能となる。
【００１７】
また、本発明における放送受信装置は、送出先毎の情報である個別情報群のうち、特定の送出先の識別子を含む個別情報群を受信する放送受信装置であって、前記特定の送出先の識別子を含む各個別情報に固有の番号であり、新しい個別情報ほど大きい番号である更新番号を含む個別情報を取り込んで管理する個別情報管理手段と、前記個別情報管理手段が取り込んだ個別情報の中で、最大の更新番号を保持している更新番号保持手段と、個別情報を取得した場合に、当該取得した個別情報の更新番号と、前記更新番号保持手段が保持している更新番号とを比較し、前記取得した個別情報の更新番号が前記更新番号保持手段が保持している更新番号より大きいか否かを判定する第１判定手段と、前記第１判定手段が大きいと判定した場合に、前記取得した個別情報に、更新番号を含む更新番号リストが含まれるか否かを判定する第２判定手段と、前記第２判定手段が前記更新番号リストが含まれると判定した場合に、前記更新番号リストに含まれる更新番号と、前記更新番号保持手段が保持している更新番号とを比較し、前記更新番号リストに含まれる更新番号に前記更新番号保持手段が保持している更新番号より大きい更新番号が含まれない場合にのみ、前記取得した個別情報を前記個別情報管理手段に取り込んで管理させるとともに、前記取得した個別情報の更新番号を前記更新番号保持手段に保持させる取得処理手段とを備える。
【００１８】
このように、放送受信装置は、更新番号リストが含まれる個別情報を受信した場合には、更新番号リストに含まれる更新番号に更新番号保持手段が保持している更新番号より大きい更新番号が含まれない場合にのみ、取得した個別情報を個別情報管理手段に取り込んで管理させるとともに、前記更新番号保持手段に前記取得した個別情報の更新番号を保持させる。そのため、更新番号リストに、同時期に送出される個別情報のうち、重要性が高い個別情報や依存関係がある個別情報の更新番号を含めることにより、これらの個別情報を受信装置に確実に取り込ませることができる。したがって、同時期に送出される個別情報の個数が増えたとしても、受信装置が保持しなければならない情報は更新番号のみでよく、記憶領域を無駄に消費することなく複数の個別情報を同時期に送出することが可能になる。さらに、同時期に送出した複数の個別情報のうち、受信装置に取り込ませることが必要な個別情報を確実に受信装置に取り込ませることが可能になる。
【００１９】
さらに、好ましくは、前記第２判定手段は、前記第１判定手段が大きいと判定した場合に、前記取得した個別情報に、更新番号と送出期限とが対応付けられた更新番号リストが含まれるか否かを判定し、前記取得処理手段は、前記第２判定手段が前記更新番号リストが含まれると判定した場合に、前記更新番号リストから、期限が未到来である前記送出期限に対応付けられた更新番号を抽出し、前記抽出した更新番号と、前記更新番号保持手段が保持している更新番号とを比較し、前記抽出した更新番号に前記更新番号保持手段が保持している更新番号より大きい更新番号が含まれない場合に、前記取得した個別情報を前記個別情報管理手段に取り込んで管理させるともに、前記更新番号保持手段に前記取得した個別情報の更新番号を保持させる。
【００２０】
このように、放送受信装置は、各個別情報を送出する期限を示す送出期限が未到来である個別情報を、個別情報管理手段に取り込んで管理させ、また、更新番号を更新番号保持手段に保持させるという、自身への取り込みの対象とする。更新番号リストに送出期限が過ぎた個別情報を受信装置が未だに取り込んでいな場合には、受信装置は、その個別情報を取り込むことを断念することを判断できる。そのため、更新番号リストに含まれ、未だに取り込んではいないものの、送出期限が過ぎたために取り込むことが不可能となった個別情報を取り込もうとせずに済み、受信装置が新たな個別情報を取り込めなくなることを防ぐことが可能となる。
【００２１】
さらに、好ましくは、さらに、個別情報を一時的に保持している退避手段を備え、前記取得処理手段は、さらに、前記第２判定手段が前記更新番号リストが含まれると判定した場合に、前記更新番号リストに含まれる更新番号と、前記更新番号保持手段が保持している更新番号とを比較し、前記更新番号リストに含まれる更新番号に前記更新番号保持手段が保持している更新番号より大きい更新番号が含まれる場合に、前記取得した個別情報を前記退避手段に保持させる。
【００２２】
また、さらに、前記取得処理手段が前記取得した個別情報を前記個別情報管理手段に取り込んで管理させるとともに、前記更新番号保持手段に前記取得した個別情報の更新番号を保持させた場合に、前記退避手段が保持している個別情報があるか否かを判定する退避情報判定手段を備え、前記第１判定手段は、さらに、前記退避情報判定手段が保持している個別情報があると判定した場合に、前記退避手段が記憶している個別情報を取得し、当該取得した個別情報の更新番号と、前記更新番号保持手段が保持している更新番号とを比較し、前記取得した個別情報の更新番号が前記更新番号保持手段が保持している更新番号より大きいか否かを判定する。
【００２３】
さらに、さらに、個別情報を一時的に保持している退避手段を備え、前記取得処理手段は、さらに、前記第２判定手段が前記更新番号リストが含まれると判定した場合に、前記更新番号リストから、期限が未到来である前記送出期限に対応付けられた更新番号を抽出し、前記抽出した更新番号と、前記更新番号保持手段が保持している更新番号とを比較し、前記抽出した更新番号に前記更新番号保持手段が保持している更新番号より大きい更新番号が含まれる場合に、前記取得した個別情報を前記退避手段に保持させてもよい。
【００２４】
また、さらに、前記取得処理手段が前記取得した個別情報を前記個別情報管理手段に取り込んで管理させるとともに、前記更新番号保持手段に前記取得した個別情報の更新番号を保持させた場合に、前記退避手段が保持している個別情報があるか否かを判定する退避情報判定手段を備え、前記第１判定手段は、さらに、前記退避情報判定手段が保持している個別情報があると判定した場合に、前記退避手段が保持している個別情報を取得し、当該取得した個別情報の更新番号と、前記更新番号保持手段が保持している更新番号とを比較し、前記取得した個別情報の更新番号が前記更新番号保持手段が保持している更新番号より大きいか否かを判定してもよい。
【００２５】
このように、放送受信装置が個別情報を受信したものの、その個別情報に含まれる更新番号リストに含まれる更新番号と更新番号保持手段が保持している更新番号との比較の結果、個別情報管理手段に取り込ませない場合には、その個別情報を退避手段に保持させる。これにより、一度受信した個別情報が送出期限の到来により送出されなくなった場合であっても、その個別情報を退避手段から取得することにより、自身に取り込むことができる。したがって、ＥＭＭを取り込む機会を向上させることが可能になる。
【００２６】
以上の本発明に係る放送装置が送出し、また、放送受信装置が受信する個別情報は、例えば、デジタル放送で利用しているＥＭＭでもよい。
【００２７】
なお、本発明は、このような特徴的な手段を備える放送装置および放送受信装置として実現することができるだけでなく、放送装置および放送受信装置のそれぞれに含まれる特徴的な手段をステップとする放送方法および放送受信方法として実現したり、放送装置および放送受信装置のそれぞれに含まれる特徴的な手段としてコンピュータを機能させるプログラムとして実現したりすることもできる。そして、そのようなプログラムは、ＣＤ−ＲＯＭ（Ｃｏｍｐａｃｔ  Ｄｉｓｃ−Ｒｅａｄ  Ｏｎｌｙ  Ｍｅｍｏｒｙ）等の記録媒体やインターネット等の通信ネットワークを介して流通させることができる。さらに、本発明は、放送装置が備える特徴的な手段を備える集積回路や放送受信装置が備える特徴的な手段を備える集積回路として実現することもできる。
【発明の効果】
【００２８】
本発明によれば、同時期に送出されるＥＭＭの個数が増えたとしても、ＩＣカードで保持しなければならない情報は更新番号のみでよく、ＩＣカードのメモリを無駄に消費することなく複数のＥＭＭを同時期に送出することが可能になる。さらに、同時期に送出した複数のＥＭＭのうち、ＩＣカードに取り込ませることが必要なＥＭＭを確実にＩＣカードに取り込ませることが可能になる。
【発明を実施するための最良の形態】
【００２９】
以下、本発明における実施の形態について、図面を用いて詳細に説明する。
【００３０】
（実施の形態１）
図１は、本発明の実施の形態１に係るＥＭＭ送受信システムの構成を示す図である。
【００３１】
ＥＭＭ送受信システム１は、デジタル放送を実現するシステムの一部であり、デジタル放送の放送局に備えられる局設備１１と、デジタル放送のコンテンツを閲覧する加入者側に備えられる受信装置２０とにより構成される。局設備１１と受信装置２０とは、伝送路４１を介して、デジタル放送のコンテンツやＥＭＭなどの情報を送受信する。
【００３２】
局設備１１は、ＥＭＭを作成し、作成したＥＭＭを送出する装置である。局設備１１は、ＥＭＭの作成を行うＥＭＭ作成部１１１と、作成したＥＭＭの管理を行うＥＭＭ管理ＤＢ（Ｄａｔａｂａｓｅ）１１２と、ＩＣカード３１のカードＩＤ（Ｉｄｅｎｔｉｆｉｅｒ）毎に発行した最大の更新番号を管理する更新番号管理ＤＢ（Ｄａｔａｂａｓｅ）１１３と、ＥＭＭの送出を行うＥＭＭ送出部１１４を具備している。本実施の形態のＥＭＭ管理ＤＢ１１２と更新番号管理ＤＢ１１３とは、それぞれ、ＨＤＤ（Ｈａｒｄ  Ｄｉｓｃ  Ｄｒｉｖｅ）などにより実現される記憶媒体と、各記憶媒体に格納されている情報の読出し、検索、書込みなどを制御する制御部とを含む。
【００３３】
受信装置２０は、受信機２１とＩＣカード３１とにより構成される。
受信機２１は、局設備１１による放送を受信する装置であり、例えば、ＳＴＢ（Ｓｅｔ  Ｔｏｐ  Ｂｏｘ）である。受信機２１は、局設備１１が送出するＥＭＭを受信するＥＭＭ受信部２１２と、受信したＥＭＭをＩＣカード３１に渡すＩＣカードＩ／Ｆ（インターフェース）２１１を具備している。
【００３４】
ＩＣカード３１は、受信機２１に取り付けられるカードであり、加入者に配られ、権利情報等を含むＥＭＭを取り込み、保持している。このようなＩＣカード３１は、例えば、ＩＣ（Ｉｎｔｅｇｒａｔｅｄ  Ｃｉｒｃｕｉｔ）を内蔵しているカードにより実現される。ＩＣカード３１は、ＩＣカードＩ／Ｆ２１１から渡されたＥＭＭを取得するか否かの判定を行うＥＭＭ取得判定部３１２と、ＥＭＭ内の情報をＩＣカード３１に取り込むＥＭＭ取得処理部３１１とを具備している。なお、本実施の形態では受信機２１のＩＣカードＩ／Ｆ２１１と通信するモジュールをＩＣカードとしたが、これに限定されず、セキュリティ機能を備えたメモリカードや耐タンパ化機能を備えた装置などでもよい。
【００３５】
なお、本実施の形態では、伝送路４１をデジタル放送などの放送媒体としたが、ＡＤＳＬ（Ａｓｙｍｍｅｔｒｉｃ  Ｄｉｇｉｔａｌ  Ｓｕｂｓｃｒｉｂｅｒ  Ｌｉｎｅ）やＦＴＴＨ（Ｆｉｂｅｒ  Ｔｏ  Ｔｈｅ  Ｈｏｍｅ）などの通信媒体、ＤＶＤ（Ｄｉｇｉｔａｌ  Ｖｅｒｓａｔｉｌｅ  Ｄｉｓｋ）やＣＤ（Ｃｏｍｐａｃｔ  Ｄｉｓｃ）などの物理媒体などでもよい。
【００３６】
図２は、局設備１１が備えるＤＢに格納されているデータのテーブル構成例およびデータの具体例を示す図である。図２（ａ）は、ＥＭＭ管理ＤＢ１１２に格納されているデータのテーブル構成例およびデータの具体例を示す図である。図２（ｂ）は、更新番号管理ＤＢ１１３に格納されているデータのテーブル構成例およびデータの具体例を示す図である。
【００３７】
図２（ａ）に示すように、ＥＭＭ管理ＤＢ１１２にはＥＭＭテーブルＴ２１が格納される。ＥＭＭテーブルＴ２１では、ＩＣカードのカードＩＤとＥＭＭの付与されている更新番号とに関連付けられた、ＥＭＭのデータと、ＥＭＭの送出期限と、付加リストとを含むＥＭＭ情報が管理される。
【００３８】
カードＩＤは各ＩＣカードに固有のＩＤである。更新番号はカードＩＤ毎にＥＭＭを特定できる番号である。ＥＭＭの更新番号には、順次１ずつ大きい番号が付与される。したがって、カードＩＤと更新番号とにより、ＥＭＭは特定される。
【００３９】
ＥＭＭのデータには、対応するカードＩＤが付与されたＩＣカードを持つ加入者に対する権限情報などが含まれる。送出期限はＥＭＭを送出する期限であり、本実施の形態では１つのＩＣカード宛に同時期に送出されるＥＭＭの送出期限は同一であるとする。
【００４０】
付加リストには、更新番号が自身より小さく、かつ、ＩＣカードに取り込ませる必要があるＥＭＭの有無を示す情報が格納され、これが「有」の場合には、さらに、そのＥＭＭの更新番号を示す情報が格納される。
【００４１】
本図に示すＥＭＭテーブルＴ２１は、例えば、「カードＩＤ」が「１２３４」、「更新番号」が「１」であるＥＭＭの場合、「ＥＭＭ」に含まれる権利情報などの実体が「ｘｘｘ」であり、「送出期限」が「２００５年１０月５日１２時００分００秒」であり、「付加リスト」が「Ｎ」であることを示すＥＭＭ情報を含む。
【００４２】
ここで、「付加リスト」の「Ｎ」は、更新番号が自身より小さく、かつ、ＩＣカードに取り込ませる必要があるＥＭＭが無いことを示す。これに対して、例えば、「カードＩＤ」が「１２３４」、「更新番号」が「３」であるＥＭＭの場合、「付加リスト」が「Ｙ（２）」である。「付加リスト」の「Ｙ」は、更新番号が自身より小さく、かつ、ＩＣカードに取り込ませる必要があるＥＭＭが有ることを示し、さらに、「付加リスト」の「（２）」は、ＩＣカードに取り込ませる必要があるＥＭＭの更新番号が「２」であることを示す。
【００４３】
なお、本図の「ＥＭＭ」はすべて「ｘｘｘ」としているが、これは説明のため簡略化して示しているにすぎず、各「ＥＭＭ」の内容が同一であることを意味するものではない。
【００４４】
また、図２（ｂ）に示すように、更新番号管理ＤＢ１１３には更新番号テーブルＴ２２が格納される。更新番号テーブルＴ２２では、ＩＣカードのカードＩＤに関連付けられた、各ＩＣカードに対して発行した最大の更新番号を含む、更新番号情報が管理される。本図に示す更新番号テーブルＴ２２は、例えば、「カードＩＤ」が「１２３４」であるＩＣカードに対して発行した最大の更新番号が「３」であることを示す更新番号情報を含む。
【００４５】
図３は、本実施の形態の局設備１１におけるＥＭＭの作成のシーケンスを示す図である。
【００４６】
図３に示すように、ＥＭＭ作成部１１１はＥＭＭの内容や、カードＩＤ、付加リストなどの情報を含むＥＭＭ作成指示を受け付けると、受け付けたカードＩＤを含む更新番号発行メッセージ（Ｓ３０１）を更新番号管理ＤＢ１１３に送信する。
【００４７】
ここで、ＥＭＭ作成指示に含まれる付加リストには、そのＥＭＭ作成指示に基づいて作成されるよりも前に作成されたＥＭＭの中に、ＩＣカードに取り込ませる必要があるＥＭＭがあるか否か、さらに、ＩＣカードに取り込ませる必要があるＥＭＭがある場合には、そのＥＭＭのリストが含まれる。このような付加リストは、ユーザが入力する。
【００４８】
更新番号管理ＤＢ１１３は更新番号発行メッセージ（Ｓ３０１）を受信すると、指定されたカードＩＤに対応する発行済み最大更新番号を取得して、その番号に１を加算した値に更新する（Ｓ３０２）。
【００４９】
その後、その加算した値を含むＡＣＫメッセージ（Ｓ３０３）をＥＭＭ作成部１１１に送信する。ＥＭＭ作成部１１１はＡＣＫメッセージ（Ｓ３０３）を受信すると、受け付けたカードＩＤに対する他のＥＭＭの送出状況を調べるために、カードＩＤを含む送信中のＥＭＭ取得メッセージ（Ｓ３０４）をＥＭＭ管理ＤＢ１１２に送信する。
【００５０】
ＥＭＭ管理ＤＢ１１２は送信中の更新番号取得メッセージ（Ｓ３０４）を受信すると、指定されたカードＩＤに対する送出中のＥＭＭと更新番号と送出期限のリストを取得する（Ｓ３０５）。その後、取得したリストを含むＡＣＫメッセージ（Ｓ３０６）をＥＭＭ作成部１１１に送信する。
【００５１】
ＥＭＭ作成部１１１はＡＣＫメッセージ（Ｓ３０６）を受信すると、ＥＭＭ作成処理（Ｓ３０７）を行う。ＥＭＭ作成処理（Ｓ３０７）に関しては後ほど図４を参照して詳細に説明する。
【００５２】
ＥＭＭ作成部１１１はＥＭＭ作成処理（Ｓ３０７）後、作成したＥＭＭとカードＩＤと、更新番号と、送出期限と、付加リストとを含むＥＭＭ登録（Ｓ３０８）をＥＭＭ管理ＤＢ１１２に送信する。
【００５３】
ここで、送出期限に設定する値は、作成したＥＭＭが更新番号リストを含むＥＭＭの場合はＡＣＫメッセージ（Ｓ３０６）に含まれる送出期限と同じ値を設定し、更新番号リストを含まないＥＭＭを作成した場合は予め決められたルール（例えば、ＥＭＭを作成してから１日など。）に従って設定する。また、付加リストには、ＥＭＭに含める更新番号リストがある場合にはそのリストを示す情報が含まれ、ＥＭＭに含める更新番号リストがない場合にはそれを示す情報が含まれる。
【００５４】
ＥＭＭ管理ＤＢ１１２はＥＭＭ登録（Ｓ３０８）を受信すると、指定されたカードＩＤと更新番号とに関連づけたＥＭＭと送出期限と付加リストとを含むＥＭＭ管理情報を登録する（Ｓ３０９）。その後、ＡＣＫメッセージ（Ｓ３１０）をＥＭＭ作成部１１１に送信して、ＥＭＭ作成のシーケンスが終了する。
【００５５】
なお、更新番号リストを含まないＥＭＭの送出期限は、予め決められたルールに従って設定するとしたが、これに限定されるものではない。例えば、ＥＭＭ作成指示の中で送出期限をユーザが指定し、その指定された値が送出期限に設定されてもよい。
【００５６】
図４は、図３のＥＭＭ作成シーケンスにおけるＥＭＭ作成処理（Ｓ３０７）の詳細を示すフローチャートである。ＥＭＭ作成部１１１は、図４に示すように、まず図３で説明したＡＣＫメッセージ（Ｓ３０６）の中にリストがあるか否かの判定を行う（Ｆ４０１）。
【００５７】
Ｓ３０６におけるＡＣＫメッセージの中にリストが含まれていない場合には、リストがないと判定し（Ｆ４０１でＮｏ）、ＥＭＭ作成部１１１は、更新番号リストを含まないＥＭＭの作成を行い（Ｆ４０７）、ＥＭＭ作成処理を終了する。また、Ｓ３０６におけるＡＣＫメッセージの中にリストが含まれている場合には、リストがあると判定し（Ｆ４０１でＹｅｓ）、ＥＭＭ作成部１１１は、リストから送出期限切れのＥＭＭと更新番号を削除する（Ｆ４０２）。削除後、ＥＭＭ作成部１１１は、リストの中に更新番号が１つ以上残っているか否かを判定する（Ｆ４０３）。
【００５８】
判定の結果、リスト内に１つも更新番号が残っていない場合（Ｆ４０３でＮｏ）、ＥＭＭ作成部１１１は、更新番号リストを含まないＥＭＭの作成を行い（Ｆ４０７）、ＥＭＭ作成処理を終了する。また、１つ以上の更新番号が残っている場合には（Ｆ４０３でＹｅｓ）、ＥＭＭ作成部１１１は、それらの更新番号に対応するＥＭＭの内容と今回作成したＥＭＭの内容が同じかどうか判定する（Ｆ４０４）。
【００５９】
判定の結果、同じ場合には（Ｆ４０４でＹｅｓ）、ＥＭＭ作成部１１１は、更新番号リストを含まないＥＭＭの作成を行い（Ｆ４０７）、ＥＭＭ作成処理を終了する。また、異なる場合には（Ｆ４０４でＮｏ）、ＥＭＭ作成部１１１は、ＥＭＭ作成指示に含まれる付加リストの情報により、リストを付加するか否かの判定する（Ｆ４０５）。
【００６０】
付加リストの情報が、ＩＣカードに取り込ませる必要があるＥＭＭがないことを示す場合には、リストを付加しないと判定し（Ｆ４０５でＮｏ）、ＥＭＭ作成部１１１は、更新番号リストを含まないＥＭＭの作成を行い（Ｆ４０７）、ＥＭＭ作成処理を終了する。また、付加リストの情報が、ＩＣカードに取り込ませる必要があるＥＭＭがあることを示す場合には、リストを付加すると判定し（Ｆ４０５でＹｅｓ）、ＥＭＭ作成指示に含まれるリスト内の更新番号を設定した更新番号リストを含むＥＭＭを作成して（Ｆ４０６）、ＥＭＭ作成処理を終了する。
【００６１】
図５では、局設備１１と受信機２１との間で送受信されるＥＭＭのデータ構造の例を示す。図５（ａ）は、更新番号の付加リストを含むＥＭＭ５１のデータ構造の例を示す図である。図５（ｂ）は、更新番号の付加リストを含まないＥＭＭ５２のデータ構造の例を示す図である。
【００６２】
図５（ａ）および図５（ｂ）に示すように、ＥＭＭ５１およびＥＭＭ５２は、非暗号のヘッダ領域とＩＣカード３１の固有鍵で暗号化された暗号化データ領域とから構成される。ヘッダ領域には、カードＩＤや更新番号などの情報が格納される。一方、暗号化データ領域には、更新番号の付加リストを含むＥＭＭ５１の場合、ワーク鍵やライセンスなどを含むＥＭＭ内容と更新番号リストとが格納され、更新番号の付加リストを含まないＥＭＭ５２の場合、ワーク鍵やライセンスなどを含むＥＭＭ内容が格納される。
【００６３】
図５（ａ）に示す更新番号の付加リストを含むＥＭＭ５１は、「カードＩＤ」が「１２３４」であるＩＣカードに、そのＩＣカードに対する「更新番号」が「２」であるＥＭＭと、「３」であるＥＭＭとを取り込ませた後に、「更新番号」が「４」であるＥＭＭを取り込ませるための付加リストを含むＥＭＭの例である。
【００６４】
このように、付加リストが含まれる場合には、同時期に送出されるＥＭＭがある場合であって、かつ、その中に更新番号の小さく重要性が高いＥＭＭや、その中の更新番号が小さいＥＭＭと依存関係がある場合がある。
【００６５】
具体的には、図５（ａ）に示すＥＭＭ５１は、ヘッダ領域の「カードＩＤ」に「１２３４」が、「更新番号」に「４」がそれぞれ設定され、暗号化データ領域の「更新番号リスト」に更新番号の「２」と「３」とが、「ＥＭＭ内容」に「ワーク鍵がＡＢＣ」であることを示す情報が設定されたＥＭＭの例を示す。このような、図５（ａ）に示す付加リストを含むＥＭＭが作成される場合の一例として、「更新番号」が「３」であるＥＭＭが「更新番号」が「２」であるＥＭＭの差分情報であり、さらに、「更新番号」が「４」であるＥＭＭが「更新番号」が「３」であるＥＭＭの差分情報であるような複数のＥＭＭの間に依存関係がある場合を挙げることができる。
【００６６】
また、図５（ｂ）に示す更新番号の付加リストを含まないＥＭＭ５２は、「カードＩＤ」が「１２３４」であるＩＣカードに対する「更新番号」が「５」であるＥＭＭの例である。このように、付加リストを含まない場合には、そのＩＣカードに対して同時期に送出しているＥＭＭが無い場合や、当該ＥＭＭが過去に送出したＥＭＭに依存しない情報である場合などである。
【００６７】
具体的には、図５（ｂ）に示すＥＭＭ５２は、ヘッダ領域の「カードＩＤ」に「１２３４」が、「更新番号」に「５」がそれぞれ設定され、暗号化データ領域の「ＥＭＭ内容」に「ワーク鍵がＡＢＣ」であることを示す情報が設定されたＥＭＭの例を示す。
【００６８】
図６は、局設備１１におけるＥＭＭの送出のシーケンスを示す図である。図６に示すように、ＥＭＭ送出部１１５はＥＭＭ送出指示を受け付けると、現在送出の対象となっているＥＭＭを取得するために、ＥＭＭ取得メッセージ（Ｓ６０１）をＥＭＭ管理ＤＢ１１２に送信する。ＥＭＭ管理ＤＢ１１２はＥＭＭ取得メッセージ（Ｓ６０１）を受信すると、登録されているＥＭＭの中で送出期限が有効な全てのＥＭＭを取得する（Ｓ６０２）。その後、取得したＥＭＭを含むＡＣＫメッセージ（Ｓ６０３）をＥＭＭ送出１１５に送信する。ＥＭＭ送出１１５はＡＣＫメッセージ（Ｓ６０３）を受信すると、取得したＥＭＭを順次送出する（Ｓ６０４）。
【００６９】
図７は、受信機２１におけるＥＭＭの受信のシーケンスを示す図である。図７に示すように、受信機２１のＥＭＭ受信部２１２は局設備１１のＥＭＭ送出部１１５から送出されたＥＭＭを、伝送路４１を介して受け付ける（Ｓ７０１）と、受け付けたＥＭＭを受信するか破棄するかに関する判定を行う（Ｓ７０２）。ＥＭＭ受信判定（Ｓ７０２）の詳細については図８のフローチャートを参照して、後に説明する。
【００７０】
ＥＭＭ受信部２１２が受信すると判定した場合、ＩＣカードＩ／Ｆ２１１はＥＭＭ受信部２１２からＥＭＭを受信する（Ｓ７０３）。ＩＣカードＩ／Ｆ２１１は受信したＥＭＭをＩＣカード３１のＥＭＭ取得判定部３１２に送信し、ＥＭＭ取得判定部３１２はＥＭＭを受信する（Ｓ７０４）。ＥＭＭ取得判定部３１２は受信したＥＭＭをＩＣカード３１に取得するか否かの判定を行う（Ｓ７０５）。ＥＭＭ取得判定（Ｓ７０５）については後ほど図９を参照して詳細に説明する。
【００７１】
判定の結果、取得すると判定された場合は、ＥＭＭ取得処理部３１１にＥＭＭを送信する（Ｓ７０６）。ＥＭＭ取得処理部３１１はＥＭＭを受信すると、ＥＭＭに含まれる情報をＩＣカード３１に取り込み（Ｓ７０７）、処理を終了する。
【００７２】
図８は、図７に示されるＥＭＭ受信シーケンスにおけるＥＭＭ受信判定処理（Ｓ７０２）の詳細を示すフローチャートである。
【００７３】
本図に示すように、ＥＭＭ受信部２１２は、受け付けたＥＭＭに記述されたカードＩＤと受信機２１が装着するＩＣカード３１のカードＩＤが一致するか否かの判定を行う（Ｆ８０１）。判定の結果、同一のカードＩＤと判定した場合には、ＥＭＭ受信部２１２はそのＥＭＭを受信し（Ｆ８０２）、以降の処理を継続する。また、異なるカードＩＤと判定した場合には、ＥＭＭ受信部２１２はＥＭＭを破棄して処理を終了する（Ｆ８０３）。
【００７４】
図９は、図７に示されるＥＭＭ受信シーケンスにおける、実施の形態１のＥＭＭ取得判定処理（Ｓ７０５）の詳細を示すフローチャートである。
【００７５】
図９に示すように、ＥＭＭ取得判定（Ｓ７０５）では、まず、ＥＭＭ取得判定部３１２が更新番号のチェックを行う（Ｆ９０１）。
【００７６】
チェックの結果、取得したＥＭＭの更新番号が、ＩＣカード３１が保持している更新番号よりも小さいまたは同じ場合は（Ｆ９０１でＮｏ）、ＥＭＭ取得判定部３１２は、そのＥＭＭを破棄して処理を終了する（Ｆ９０６）。また、ＩＣカード３１が保持する更新番号よりも大きい場合は（Ｆ９０１でＹｅｓ）、ＥＭＭ取得判定部３１２は、ＥＭＭの中に更新番号リストが含まれるか否かの判定を行う（Ｆ９０２）。
【００７７】
判定の結果、含まないと判定した場合は（Ｆ９０２でＮｏ）、ＥＭＭ取得処理部３１１は、ＩＣカード３１内の更新番号を今回取得したＥＭＭの更新番号に更新し（Ｆ９０５）、以降の処理を継続する。また、含むと判定した場合は（Ｆ９０２でＹｅｓ）、ＥＭＭ取得判定部３１２は、その更新番号リストをＥＭＭから抽出する（Ｆ９０３）。そして、ＥＭＭ取得判定部３１２は、抽出した更新番号リストのチェックを行う（Ｆ９０４）。
【００７８】
チェックの結果、更新番号リスト中にＩＣカード３１が保持する更新番号よりも大きい更新番号が１つでもある場合は（Ｆ９０４でＹｅｓ）、ＥＭＭ取得判定部３１２は、ＥＭＭを破棄して処理を終了する（Ｆ９０６）。また、更新番号リスト中にＩＣカード３１が保持する更新番号よりも大きい更新番号が１つも無い場合は（Ｆ９０４でＮｏ）、ＥＭＭ取得処理部３１１は、ＩＣカード３１内の更新番号を今回取得したＥＭＭの更新番号に更新し（Ｆ９０５）、以降の処理を継続する。
【００７９】
このような図７から図９までの処理を受信機２１およびＩＣカード３１が実行することによって、具体的には、「カードＩＤ」が「１２３４」であるＩＣカードに図２（ａ）に示す更新番号「２」および「３」のＥＭＭと、図５（ａ）に示す更新番号「４」のＥＭＭとの３つのＥＭＭを同時に送信した場合、これらのＥＭＭは、更新番号「２」「３」「４」の順でＩＣカードに取り込まれる。
【００８０】
したがって、図７から図９までの処理により、受信機２１は自身に取り付けられたＩＣカードに宛てられたＥＭＭのみを受信し、ＩＣカードは取り込む必要がある情報が同時期に送出されているにもかかわらず、取り込むことができなくなることを防ぐことができる。また、そのためにＥＭＭに含まれる付加リストをＩＣカードが保持しておく必要はなく、ＩＣカードで保持しなければならない情報は更新番号のみである。そのため、ＩＣカードのメモリを無駄に消費することなく複数のＥＭＭを同時期に送出することが可能になり、取り込む必要がある情報を確実にＩＣカードに取り込ませることが可能になる。
【００８１】
（実施の形態２）
実施の形態１では、１つのカードＩＤ宛てに複数のＥＭＭを同時に送出する際に、各ＥＭＭの送出期限が同一となる場合の運用形態を説明したが、実施の形態２では各ＥＭＭの送出期限が異なる場合の運用形態を説明する。
【００８２】
本実施の形態のＥＭＭ送受信システム１の構成は、図１に示す実施の形態１のＥＭＭ送受信システム１の構成と同様である。そのため、ＥＭＭ送受信システム１の構成に関する、ここでの説明は省略する。また、ＥＭＭ送受信システム１を構成する各装置の構成については、ＥＭＭ管理ＤＢ１１２に格納されているデータを除いて、図１および図２に示す実施の形態１の各装置と同様である。そのため、ここでは、ＥＭＭ管理ＤＢ１１２に格納されているデータ以外の説明は省略する。
【００８３】
図１０は、本発明の実施の形態２に係るＥＭＭ管理ＤＢ１１２に格納されているデータのテーブル構成例およびデータの具体例を示す図である。
【００８４】
本図に示すＥＭＭ管理ＤＢ１１２に格納されているデータのテーブル構成は、図２に示す実施の形態１と同様であり、ここでの説明は省略する。本図に示すＥＭＭ管理ＤＢ１１２に格納されているデータと、図２に示す実施の形態１のＥＭＭ管理ＤＢ１１２に格納されているデータとは、送出期限を除いて、同一である。そのため、ここでは送出期限についてのみ説明し、その他のデータに関する説明は省略する。
【００８５】
本実施の形態では、上記のように、１つのカードＩＤ宛てに複数のＥＭＭを同時に送出する場合であっても、各ＥＭＭの送出期限が異なる。
【００８６】
例えば、「カードＩＤ」が「１２３４」であるＩＣカード宛の「更新番号」が「３」であるＥＭＭの付加リストには、「更新番号」が「２」であるＥＭＭが含まれており、同時期に送出されるＥＭＭである。これらの「送出期限」は、「更新番号」が「２」であるＥＭＭでは「２００５年１０月１０日１２時００分００秒」であり、「更新番号」が「３」であるＥＭＭでは「２００５年１０月１５日１２時００分００秒」である。
【００８７】
図１１は、本発明の実施の形態２に係るＥＭＭのデータ構造を示す図である。図１１（ａ）は本発明の実施の形態１に係る更新番号の付加リストを含むＥＭＭ１０１のデータ構造の例を示す図であり、図１１（ｂ）は、本発明の実施の形態１に係る更新番号の付加リストを含まないＥＭＭ１０２のデータ構造の例を示す図である。
【００８８】
図１１（ａ）および図１１（ｂ）は、それぞれ、図５（ａ）および図５（ｂ）で説明したＥＭＭのデータ構造を実施の形態２の運用に合わせて変更したデータ構造を示す。
【００８９】
具体的な変更点としては、ＥＭＭ中の更新番号リストを期限付き更新番号リストとし、各更新番号に対して有効期限を追加した点である。この有効期限には、各更新番号に対応するＥＭＭの送出期限と同じ値を設定する。
【００９０】
このデータ構造の変更によって、各装置が実行する処理が変わる。具体的には、実施の形態１で説明した図３のＥＭＭの作成シーケンスと、図４のＥＭＭ作成処理の詳細を示すフローチャートと、図９のＥＭＭ取得判定処理の詳細を示すフローチャートとが、それぞれ図１２と、図１３と、図１４とに変わる。また、図６のＥＭＭの送出シーケンスと、図７のＥＭＭの受信シーケンスと、図８のＥＭＭ受信判定処理の詳細とは、実施の形態１と同様であるため、これらの処理に関するここでの説明は省略する。
【００９１】
図１２は、本発明の実施の形態２に係る局設備１１おけるＥＭＭの作成のシーケンスを示す。
【００９２】
図１２に示すように、ＥＭＭ作成部１１１はＥＭＭの内容や、カードＩＤ、付加リストなどの情報を含むＥＭＭ作成指示を受け付けると、受け付けたカードＩＤを含む更新番号発行メッセージ（Ｓ１１０１）を更新番号管理ＤＢ１１３に送信する。
【００９３】
ここで、ＥＭＭ作成指示に含まれる付加リストには、そのＥＭＭ作成指示に基づいて作成されるよりも前に作成されたＥＭＭの中に、ＩＣカードに取り込ませる必要があるＥＭＭがあるか否か、さらに、ＩＣカードに取り込ませる必要があるＥＭＭがある場合には、そのＥＭＭのリストが含まれる。このような付加リストは、ユーザが入力する。
【００９４】
更新番号管理ＤＢ１１３は更新番号発行メッセージ（Ｓ１１０１）を受信すると、指定されたカードＩＤに対応する発行済み最大更新番号を取得して、その番号に１を加算した値に更新する（Ｓ１１０２）。
【００９５】
その後、その加算した値を含むＡＣＫメッセージ（Ｓ１１０３）をＥＭＭ作成部１１１に送信する。ＥＭＭ作成部１１１はＡＣＫメッセージ（Ｓ１１０３）を受信すると、受け付けたカードＩＤに対する他のＥＭＭの送出状況を調べるために、カードＩＤを含む送信中のＥＭＭ取得メッセージ（Ｓ１１０４）をＥＭＭ管理ＤＢ１１２に送信する。
【００９６】
ＥＭＭ管理ＤＢ１１２は送信中の更新番号取得メッセージ（Ｓ１１０４）を受信すると、指定されたカードＩＤに対する送出中のＥＭＭと更新番号と送出期限のリストを取得する（Ｓ１１０５）。その後、取得したリストを含むＡＣＫメッセージ（Ｓ１１０６）をＥＭＭ作成部１１１に送信する。
【００９７】
ＥＭＭ作成部１１１はＡＣＫメッセージ（Ｓ１１０６）を受信すると、ＥＭＭ作成処理（Ｓ１１０７）を行う。ＥＭＭ作成処理（Ｓ１１０７）に関しては後ほど図１２を参照して詳細に説明する。
【００９８】
ＥＭＭ作成部１１１はＥＭＭ作成処理（Ｓ１１０７）後、作成したＥＭＭとカードＩＤと、更新番号と、送出期限と、付加リストとを含むＥＭＭ登録（Ｓ１１０８）をＥＭＭ管理ＤＢ１１２に送信する。
【００９９】
ここで、送出期限に設定する値は、作成したＥＭＭが期限付き更新番号リストを含む場合も含まない場合も予め決められたルール（例えば、ＥＭＭを作成してから1日など。）に従って設定する。また、付加リストには、ＥＭＭに含める更新番号リストがある場合にはそのリストを示す情報が含まれ、ＥＭＭに含める更新番号リストがない場合にはそれを示す情報が含まれる。
【０１００】
ＥＭＭ管理ＤＢ１１２はＥＭＭ登録（Ｓ１１０８）を受信すると、指定されたカードＩＤと更新番号とに関連づけたＥＭＭと送出期限と付加リストとを含むＥＭＭ管理情報を登録する（Ｓ１１０９）。その後、ＡＣＫメッセージ（Ｓ１１１０）をＥＭＭ作成部１１１に送信して、ＥＭＭ作成のシーケンスが終了する。
【０１０１】
なお、ＥＭＭの送出期限は、予め決められたルールに従って設定するとしたが、これに限定されるものではない。例えば、ＥＭＭ作成指示の中で送出期限をユーザが指定し、その指定された値が送出期限に設定されてもよい。
【０１０２】
図１３は、図１２に示されるＥＭＭ作成シーケンスにおけるＥＭＭ作成処理（Ｓ１１０７）の詳細を示すフローチャートである。図１２に示すように、まず図１１で説明したＡＣＫメッセージ（Ｓ１１０６）の中にリストがあるか否かの判定を行う（Ｆ１２０１）。
【０１０３】
Ｓ１１０６におけるＡＣＫメッセージの中にリストが含まれていない場合には、リストがないと判定し（Ｆ１２０１でＮｏ）、ＥＭＭ作成部１１１は、期限付き更新番号リストを含まないＥＭＭの作成を行い（Ｆ１２０７）、ＥＭＭ作成処理を終了する。また、Ｓ１１０６におけるＡＣＫメッセージの中にリストが含まれている場合には、リストがあると判定し（Ｆ１２０１でＹｅｓ）、リストから送出期限切れのＥＭＭと更新番号を削除する（Ｆ１２０２）。削除後、ＥＭＭ作成部１１１は、リストの中に更新番号が１つ以上残っているか否かを判定する（Ｆ１２０３）。
【０１０４】
判定の結果、リスト内に１つも更新番号が残っていない場合（Ｆ１２０３でＮｏ）、ＥＭＭ作成部１１１は、期限付き更新番号リストを含まないＥＭＭの作成を行い（Ｆ１２０７）、ＥＭＭ作成処理を終了する。また、１つ以上の更新番号が残っている場合には（Ｆ１２０３でＹｅｓ）、ＥＭＭ作成部１１１は、それらの更新番号に対応するＥＭＭの内容と今回作成したＥＭＭの内容が同じかどうか判定する（Ｆ１２０４）。
【０１０５】
判定の結果、同じ場合には（Ｆ１２０４でＹｅｓ）、ＥＭＭ作成部１１１は、期限付き更新番号リストを含まないＥＭＭの作成を行い（Ｆ１２０７）、ＥＭＭ作成処理を終了する。また、異なる場合には（Ｆ１２０４でＮｏ）、ＥＭＭ作成部１１１は、ＥＭＭ作成指示に含まれる付加リストの情報により、リストを付加するか否かの判定する（Ｆ１２０５）。
【０１０６】
付加リストの情報が、ＩＣカードに取り込ませる必要があるＥＭＭがないことを示す場合には、リストを付加しないと判定し（Ｆ１２０５でＮｏ）、ＥＭＭ作成部１１１は、更新番号リストを含まないＥＭＭの作成を行い（Ｆ１２０７）、ＥＭＭ作成処理を終了する。また、付加リストの情報が、ＩＣカードに取り込ませる必要があるＥＭＭがあることを示す場合には、リストを付加すると判定し（Ｆ１２０５でＹｅｓ）、ＥＭＭ作成指示に含まれるリスト内の更新番号と送出期限とを設定した期限付き更新番号リストを含むＥＭＭを作成して（Ｆ１２０６）、ＥＭＭ作成処理を終了する。
【０１０７】
図１４は、図７に示されるＥＭＭ受信シーケンスにおける、本発明の実施の形態２に係るＥＭＭ取得判定処理（Ｓ７０５）の詳細を示すフローチャートである。
【０１０８】
図１４に示すように、ＥＭＭ取得判定（Ｓ７０５）では、まず更新番号のチェックを行う（Ｆ１３０１）。
【０１０９】
チェックの結果、取得したＥＭＭの更新番号が、ＩＣカード３１が保持している更新番号よりも小さいまたは同じ場合は（Ｆ１３０１でＮｏ）、そのＥＭＭを破棄して処理を終了する（Ｆ１３０７）。また、ＩＣカード３１が保持する更新番号よりも大きい場合は（Ｆ１３０１でＹｅｓ）、ＥＭＭの中に期限付き更新番号リストが含まれるか否かの判定を行う（Ｆ１３０２）。
【０１１０】
判定の結果、含まないと判定した場合は（Ｆ１３０２でＮｏ）、ＩＣカード３１内の更新番号を今回取得したＥＭＭの更新番号に更新し（Ｆ１３０６）、以降の処理を継続する。また、含むと判定した場合は（Ｆ１３０２でＹｅｓ）、その期限付き更新番号リストをＥＭＭから抽出する（Ｆ１３０３）。そして、期限付き更新番号リスト内の各更新番号に対応する期限をチェックして、期限切れとなっている更新番号を削除した（Ｆ１３０４）後、更新番号リストのチェックを行う（Ｆ１３０５）。
【０１１１】
チェックの結果、更新番号リスト中にＩＣカード３１が保持する更新番号よりも大きい更新番号が１つでもある場合は（Ｆ１３０５でＹｅｓ）、ＥＭＭを破棄して処理を終了する（Ｆ１３０７）。また、更新番号リスト中にＩＣカード３１が保持する更新番号よりも大きい更新番号が１つも無い場合は（Ｆ１３０５でＮｏ）、ＩＣカード３１内の更新番号を今回取得したＥＭＭの更新番号に更新して以降の処理を継続する（Ｆ１３０６）。
【０１１２】
以上のように、ＥＭＭ中の更新番号リストに期限を追加することによって、各ＥＭＭの送出期限を異なる値に設定しても問題なく運用できるようになる。
【０１１３】
以上、本発明の実施の形態について説明したが、本発明はこれらの実施の形態に限定されるものではない。
【０１１４】
例えば、実施の形態１において、図４に示すリスト付加判定処理（Ｆ４０５）は、図３に示すＥＭＭ作成指示に含まれる付加リストの情報に基づいて判定することとしたが、局設備１１がリストを付加するか否かを判定し、リストを付加すると判定した場合には、局設備１１が、さらに、リストを付加したＥＭＭを自動的に作成してもよい。
【０１１５】
この場合、局設備１１は、例えば、ＥＭＭ作成指示に含まれるＥＭＭの内容を示す情報に基づいて判定する。具体的には、ＥＭＭの内容を種類別に分類し、その種類毎にＥＭＭ相互の関連性やＥＭＭの重要性を予め定義した情報を記憶部に格納しておく。そして、リスト付加判定処理（Ｆ４０５）において、ＥＭＭ作成指示に含まれるＥＭＭの内容を示す情報を取得したＥＭＭ作成部１１１が、ＥＭＭ作成指示に含まれるカードＩＤに対して送信した過去のＥＭＭの内容をＥＭＭ管理ＤＢから取得するとともに、この記憶部の定義情報を参照することにより、付加リストを自動的に作成することで実現できる。
【０１１６】
このような付加リストの自動作成は、実施の形態２においても、同様に実現できる。
これにより、ＥＭＭ作成指示を与える際に、ユーザは付加リストを入力する必要がなくなる。したがって、本発明のＥＭＭ作成に係るユーザの負担を軽減することができる。また、付加リストの入力に関するユーザの入力ミスを防ぐことができる。したがって、このような入力ミスのために、ＩＣカードに取り込ませる必要があるＥＭＭが取り込めなくなくことを防ぐことが可能となる。
【０１１７】
また、例えば、実施の形態では、図９に示すまたは図１４に示す、リスト内の更新番号の判定処理（Ｆ９０４またはＦ１３０５）では、更新番号リスト中にＩＣカード３１が保持する更新番号よりも大きい更新番号が１つでもある場合は（Ｆ９０４でＹｅｓまたはＦ１３０５でＹｅｓ）、ＥＭＭを破棄して処理を終了する（Ｆ９０６またはＦ１３０７）としたが、この場合、受信機２１がさらに備える個別情報を一時的に保持する退避部にそのＥＭＭを退避させてもよい。このような退避部は、具体的には、ＨＤＤ（Ｈａｒｄ  Ｄｉｓｃ  Ｄｒｉｖｅ）やＲＡＭ（Ｒａｎｄｏｍ  Ａｃｃｅｓｓ  Ｍｅｍｏｒｙ）などの記憶媒体により実現される。
【０１１８】
本変形例において受信機２１およびＩＣカード３１が実行する処理を、図１５を参照して説明する。図１５は、図７に示されるＥＭＭ受信シーケンスにおける、本発明の一変形例に係るＥＭＭ取得判定処理Ｓ７０５の詳細を示すフローチャートである。
【０１１９】
本図に示すフローチャートのＦ９０１からＦ９０６までの処理は、実施の形態１における図９に示すＦ９０１からＦ９０６までの処理とそれぞれ同様であるため、これらの処理に関するここでの説明は省略する。
【０１２０】
チェックの結果、更新番号リスト中にＩＣカード３１が保持する更新番号よりも大きい更新番号が１つでもある場合は（Ｆ９０４でＹｅｓ）、ＥＭＭ取得判定部３１２は、ＩＣカードＩ／Ｆ２１１を介して退避部にＥＭＭを保持させて（Ｆ１４０１）、処理を終了する。
【０１２１】
また、ＩＣカード内の更新番号の更新処理（Ｆ９０５）に続けて、退避部に保持されているＥＭＭがあるか否かを判定する（Ｆ１４０２）。退避部に保持されているＥＭＭがないと判定した場合には（Ｆ１４０２でＮｏ）、ＥＭＭ取得判定処理を終了する。また、退避部に保持されているＥＭＭがあると判定した場合には（Ｆ１４０２でＹｅｓ）、ＥＭＭ取得判定部３１２は、退避部が保持しているＥＭＭを、ＩＣカードＩ／Ｆ２１１を介して退避部から取得し、取得したＥＭＭの更新番号のチェックを行い（Ｆ９０１）、以降の処理を継続する。
【０１２２】
なお、本図は、実施の形態１に係る受信機２１およびＩＣカード３１が実行する処理のフローチャートを示すが、本変形例は実施の形態２にも適用できる。本変形例を実施の形態２に適用する場合、図１４に示すリスト内の更新番号の判定処理（Ｆ１３０５）において、肯定判定がされた場合に（Ｆ１３０５でＹｅｓ）、ＥＭＭ取得処理部３１１が、上記の退避処理（Ｆ１４０１）を実行し、また、ＩＣカード内の更新番号の更新処理（Ｆ１３０６）の後に、ＥＭＭ取得処理部３１１が、上記の退避部に保持されているＥＭＭがあるか否かの判定処理（Ｆ１４０２）を実行することにより、実現できる。
【０１２３】
このように、本変形例では、ＩＣカードに取り込んでいないＥＭＭを受信したが、ＥＭＭに含まれるリストを参照して判定した結果、ＩＣカードに取り込まないと判定されたＥＭＭを受信機が備える記憶媒体に退避させる。
【０１２４】
これに対して、実施の形態では、同様の判定の結果、ＩＣカードに取り込まないと判定されたＥＭＭを破棄する。実施の形態の場合、送出期限が到来するなどの理由により、ＩＣカードがそのＥＭＭを取り込めるようになったときに同じＥＭＭを再度受信できる保証はないため、破棄したＥＭＭをＩＣカードが取り込むことができなくなる可能性がある。
【０１２５】
本変形例では、一旦受信したＥＭＭを退避しておくため、ＩＣカードに取り込まないと判定されたＥＭＭを、ＩＣカードがそのＥＭＭを取り込めるようになったときに確実にＩＣカードに取り込むことが可能になる。したがって、ＥＭＭを取り込む機会を向上させることが可能になる。
【産業上の利用可能性】
【０１２６】
本発明に係る放送装置と放送受信装置、放送方法、放送受信方法、放送プログラム、放送受信プログラム、および、放送受信集積回路は、現行のデジタル放送や今後サービスが予定されているサーバ型放送などに適用ができる。
【図面の簡単な説明】
【０１２７】
【図１】本発明の実施の形態１に係るＥＭＭ送受信システムの構成を示す図である。
【図２】（ａ）は本発明の実施の形態１に係るＥＭＭ管理ＤＢ１１２に格納されているデータのテーブル構成例およびデータの具体例を示す図であり、（ｂ）は本発明の実施の形態１に係る更新番号管理ＤＢ１１３に格納されているデータのテーブル構成例およびデータの具体例を示す図である。
【図３】本発明の実施の形態１に係る設備局におけるＥＭＭの作成のシーケンスを示す図である。
【図４】図３に示されるＥＭＭ作成処理Ｓ３０７の詳細を示すフローチャートである。
【図５】（ａ）は本発明の実施の形態１に係る更新番号の付加リストを含むＥＭＭのデータ構造の例を示す図であり、（ｂ）は、本発明の実施の形態１に係る更新番号の付加リストを含まないＥＭＭのデータ構造の例を示す図である。
【図６】本発明の実施の形態１に係る局設備１１におけるＥＭＭの送出のシーケンスを示す図である。
【図７】本発明の実施の形態１に係る受信機２１におけるＥＭＭの受信のシーケンスを示す図である。
【図８】図７に示されるＥＭＭ受信シーケンスにおけるＥＭＭ受信判定処理Ｓ７０２の詳細を示すフローチャートである。
【図９】図７に示されるＥＭＭ受信シーケンスにおける、実施の形態１のＥＭＭ取得判定処理Ｓ７０５の詳細を示すフローチャートである。
【図１０】本発明の実施の形態２に係るＥＭＭ管理ＤＢに格納されているデータのテーブル構成例およびデータの具体例を示す図である。
【図１１】（ａ）は本発明の実施の形態２に係る更新番号の付加リストを含むＥＭＭのデータ構造の例を示す図であり、（ｂ）は、本発明の実施の形態２に係る更新番号の付加リストを含まないＥＭＭのデータ構造の例を示す図である。
【図１２】本発明の実施の形態２に係る設備局におけるＥＭＭの作成のシーケンスを示す図である。
【図１３】図１２に示されるＥＭＭ作成シーケンスにおけるＥＭＭ作成処理Ｓ１１０７の詳細を示すフローチャートである。
【図１４】図７に示されるＥＭＭ受信シーケンスにおける、本発明の実施の形態２に係るＥＭＭ取得判定処理Ｓ７０５の詳細を示すフローチャートである。
【図１５】図７に示されるＥＭＭ受信シーケンスにおける、本発明の一変形例に係るＥＭＭ取得判定処理Ｓ７０５の詳細を示すフローチャートである。
【符号の説明】
【０１２８】
１  ＥＭＭ送受信システム
１１  局設備
２０  受信装置
２１  受信機  ３１  ＩＣカード
４１  伝送路
１１１  ＥＭＭ作成部
１１２  ＥＭＭ管理ＤＢ
１１３  更新番号管理ＤＢ
１１４  ＥＭＭ送出部
２１１  ＩＣカードＩ／Ｆ
２１２  ＥＭＭ受信部
３１１  ＥＭＭ取得処理部
３１２  ＥＭＭ取得判定部
【図１】
2007129693.tif 000003
【図２】
2007129693.tif 000004
【図３】
2007129693.tif 000005
【図４】
2007129693.tif 000006
【図５】
2007129693.tif 000007
【図６】
2007129693.tif 000008
【図７】
2007129693.tif 000009
【図８】
2007129693.tif 000010
【図９】
2007129693.tif 000011
【図１０】
2007129693.tif 000012
【図１１】
2007129693.tif 000013
【図１２】
2007129693.tif 000014
【図１３】
2007129693.tif 000015
【図１４】
2007129693.tif 000016
【図１５】
2007129693.tif 000017